(57)【要約】【課題】一定間隔で記録するモードを実行中であってもその一定の間隔を長い方へ調整することができるようにする。【解決手段】デジタルカメラ２０は、リモートコントローラ１０を介して、１回目のユーザ操作（動画記録開始キー２５１）による第１操作信号を受信し、その後、撮影タイミングが到来した後に２回目のユーザ操作（静止画記録（シャッター）キー２５２）による第２操作信号を受信した場合、１回目のユーザ操作による第１操作信号を受信する前のインターバル撮影タイミングから２回目のユーザ操作による第２操作信号を受信するまでの時間を、新たなインターバル撮影間隔Ｔ２とする。【選択図】図４
2019009597.tif 000002
【特許請求の範囲】
【請求項１】
第１の時間間隔で周期的に記録指示信号を出力する第１の信号出力手段と、
第１の操作信号を検出したか否かを判断する第１の判断手段と、
第２の操作信号を検出したか否かを判断する第２の判断手段と、
前記第１の判断手段により前記第１の操作信号を検出したと判断し、その後、第２の判断手段により前記第２の操作信号を検出したと判断すると、前記第１の操作信号を検出する直前に前記第１の信号出力手段により前記記録指示信号が出力されたタイミングから前記第２の操作信号を検出したタイミングまでを第２の時間間隔として周期的に前記記録指示信号を出力する第２の信号出力手段と、
を備えたことを特徴とする記録制御装置。
【請求項２】
前記第２の信号出力手段は、前記第１の判断手段が前記第１の操作信号を検出しなかったと判断し、且つ、前記第１の時間間隔によるタイミングが到来する前に、前記第２の判断手段により前記第２の操作信号を検出したと判断すると、前記第２の操作信号を検出する直前に前記第１の信号出力手段により前記記録指示信号が出力されたタイミングから前記第２の操作信号を検出したタイミングまでを前記第２の時間間隔として周期的に前記記録指示信号を出力することを特徴とする請求項１に記載の記録制御装置。
【請求項３】
撮像手段を更に備え、
前記記録指示信号は、前記撮像手段に対して出力されることを特徴とする請求項１又は２に記載の記録制御装置。
【請求項４】
前記撮像手段によって撮像された画像と、前記第１の信号出力手段によって出力された前記記録指示信号によって記録されたものか、或いは、前記第２の信号出力手段によって出力された前記記録指示信号によって記録されたものかを示す情報とを対応付けるよう制御する制御手段を更に備えたことを特徴とする請求項３に記載の記録制御装置。
【請求項５】
第１の時間間隔で周期的に記録指示信号を出力する第１の信号出力手段と、
操作信号を検出したか否かを判断する判断手段と、
前記判断手段により前記操作信号を検出したと判断すると、前記操作信号を検出する直前に前記第１の信号出力手段により記録指示信号が出力されたタイミングをキャンセルし、それ以前に前記第１の信号出力手段により記録指示信号が出力されたタイミングから前記操作信号を検出したタイミングまでを第２の時間間隔として周期的に前記記録指示信号を出力する第２の信号出力手段と、
を備えたことを特徴とする記録制御装置。
【請求項６】
第１の時間間隔で周期的に記録指示信号を出力する第１の信号出力ステップと、
第１の操作信号を検出したか否かを判断する第１の判断ステップと、
第２の操作信号を検出したか否かを判断する第２の判断ステップと、
前記第１の判断ステップで前記第１の操作信号を検出したと判断し、その後、第２の判断ステップで前記第２の操作信号を検出したと判断すると、前記第１の操作信号を検出する直前に前記第１の信号出力ステップで前記記録指示信号が出力されたタイミングから前記第２の操作信号を検出したタイミングまでを第２の時間間隔として周期的に前記記録指示信号を出力する第２の信号出力ステップと、
を含むことを特徴とする記録制御方法。
【請求項７】
第１の時間間隔で周期的に記録指示信号を出力する第１の信号出力ステップと、
操作信号を検出したか否かを判断する判断ステップと、
前記判断ステップにて前記操作信号を検出したと判断すると、前記操作信号を検出する直前に前記第１の信号出力ステップにて記録指示信号が出力されたタイミングをキャンセルし、それ以前に前記第１の信号出力ステップにて記録指示信号が出力されたタイミングから前記操作信号を検出したタイミングまでを第２の時間間隔として周期的に前記記録指示信号を出力する第２の信号出力ステップと、
を含むことを特徴とする記録制御方法。
【請求項８】
コンピュータに、
第１の時間間隔で周期的に記録指示信号を出力する第１の信号出力機能、
第１の操作信号を検出したか否かを判断する第１の判断機能、
第２の操作信号を検出したか否かを判断する第２の判断機能、
前記第１の判断機能により前記第１の操作信号を検出したと判断し、その後、第２の判断機能により前記第２の操作信号を検出したと判断すると、前記第１の操作信号を検出する直前に前記第１の信号出力機能により記録指示信号が出力されたタイミングから前記第２の操作信号を検出したタイミングまでを第２の時間間隔として周期的に記録指示信号を出力する第２の信号出力機能、
を実現させるためのプログラム。
【請求項９】
コンピュータに、
第１の時間間隔で周期的に記録指示信号を出力する第１の信号出力機能、
操作信号を検出したか否かを判断する判断機能、
前記判断機能により前記操作信号を検出したと判断すると、前記操作信号を検出する直前に前記第１の信号出力機能により記録指示信号が出力されたタイミングをキャンセルし、それ以前に前記第１の信号出力機能により記録指示信号が出力されたタイミングから前記操作信号を検出したタイミングまでを第２の時間間隔として周期的に前記記録指示信号を出力する第２の信号出力機能、
を実現させるためのプログラム。
【発明の詳細な説明】
【技術分野】
【０００１】
本発明は、記録制御装置、記録制御方法、及びプログラムに関する。
【背景技術】
【０００２】
インターバル撮影モードにおける撮影タイミングの設定方法については幾つか知られており、例えば、インターバル撮影タイミングが到来する前に撮影指示を検出すると、前回のインターバル撮影タイミングから、撮影指示を検出したタイミングまでを新たなインターバル撮影間隔として設定する技術が開示されている（例えば特許文献１参照）。
【先行技術文献】
【特許文献】
【０００３】
【特許文献１】特開２０１６−１５６５８号公報
【発明の概要】
【発明が解決しようとする課題】
【０００４】
しかしながら、上述した特許文献１の技術では、インターバル撮影モード実行中にインターバル撮影間隔を短くする場合には有効だが、その逆にインターバル撮影間隔を長くすることはできないという問題があった。
【０００５】
そこで本発明は、一定間隔で記録するモードを実行中であってもその一定の間隔を長い方へ調整することができるようにすることを目的とする。
【課題を解決するための手段】
【０００６】
この発明に係る記録制御装置は、第１の時間間隔で周期的に記録指示信号を出力する第１の信号出力手段と、第１の操作信号を検出したか否かを判断する第１の判断手段と、第２の操作信号を検出したか否かを判断する第２の判断手段と、前記第１の判断手段により前記第１の操作信号を検出したと判断し、その後、第２の判断手段により前記第２の操作信号を検出したと判断すると、前記第１の操作信号を検出する直前に前記第１の信号出力手段により前記記録指示信号が出力されたタイミングから前記第２の操作信号を検出したタイミングまでを第２の時間間隔として周期的に前記記録指示信号を出力する第２の信号出力手段と、を備えたことを特徴とする。
【０００７】
この発明に係る記録制御装置は、第１の時間間隔で周期的に記録指示信号を出力する第１の信号出力手段と、操作信号を検出したか否かを判断する判断手段と、前記判断手段により前記操作信号を検出したと判断すると、前記操作信号を検出する直前に前記第１の信号出力手段により記録指示信号が出力されたタイミングをキャンセルし、それ以前に前記第１の信号出力手段により記録指示信号が出力されたタイミングから前記操作信号を検出したタイミングまでを第２の時間間隔として周期的に前記記録指示信号を出力する第２の信号出力手段と、を備えたことを特徴とする。
【０００８】
この発明に係る記録制御方法は、第１の時間間隔で周期的に記録指示信号を出力する第１の信号出力ステップと、第１の操作信号を検出したか否かを判断する第１の判断ステップと、第２の操作信号を検出したか否かを判断する第２の判断ステップと、前記第１の判断ステップで前記第１の操作信号を検出したと判断し、その後、第２の判断ステップで前記第２の操作信号を検出したと判断すると、前記第１の操作信号を検出する直前に前記第１の信号出力ステップで前記記録指示信号が出力されたタイミングから前記第２の操作信号を検出したタイミングまでを第２の時間間隔として周期的に前記記録指示信号を出力する第２の信号出力ステップと、を含むことを特徴とすることを特徴とする。
【０００９】
この発明に係る記録制御方法は、第１の時間間隔で周期的に記録指示信号を出力する第１の信号出力ステップと、操作信号を検出したか否かを判断する判断ステップと、前記判断ステップにて前記操作信号を検出したと判断すると、前記操作信号を検出する直前に前記第１の信号出力ステップにて記録指示信号が出力されたタイミングをキャンセルし、それ以前に前記第１の信号出力ステップにて記録指示信号が出力されたタイミングから前記操作信号を検出したタイミングまでを第２の時間間隔として周期的に前記記録指示信号を出力する第２の信号出力ステップと、を含むことを特徴とする。
【００１０】
この発明に係るプログラムは、コンピュータに、第１の時間間隔で周期的に記録指示信号を出力する第１の信号出力機能、第１の操作信号を検出したか否かを判断する第１の判断機能、第２の操作信号を検出したか否かを判断する第２の判断機能、前記第１の判断機能により前記第１の操作信号を検出したと判断し、その後、第２の判断機能により前記第２の操作信号を検出したと判断すると、前記第１の操作信号を検出する直前に前記第１の信号出力機能により記録指示信号が出力されたタイミングから前記第２の操作信号を検出したタイミングまでを第２の時間間隔として周期的に記録指示信号を出力する第２の信号出力機能、を実現させることを特徴とする。
【００１１】
この発明に係るプログラムは、コンピュータに、第１の時間間隔で周期的に記録指示信号を出力する第１の信号出力機能、操作信号を検出したか否かを判断する判断機能、前記判断機能により前記操作信号を検出したと判断すると、前記操作信号を検出する直前に前記第１の信号出力機能により記録指示信号が出力されたタイミングをキャンセルし、それ以前に前記第１の信号出力機能により記録指示信号が出力されたタイミングから前記操作信号を検出したタイミングまでを第２の時間間隔として周期的に前記記録指示信号を出力する第２の信号出力機能、を実現させることを特徴とする。
【発明の効果】
【００１２】
この発明によれば、一定間隔で記録するモードを実行中であってもその一定の間隔を長い方へ調整することができるという利点が得られる。
【図面の簡単な説明】
【００１３】
【図１】本発明の実施形態による撮影システムの構成を示すブロック図である。
【図２】本実施形態によるリモートコントローラ１０の構成を示すブロック図である。
【図３】本実施形態によるデジタルカメラ２０の構成を示すブロック図である。
【図４】本実施形態によるデジタルカメラ２０の動作を説明するためのフローチャートである。
【図５】本実施形態によるデジタルカメラ２０の動作を説明するためのフローチャートである。
【図６】本実施形態によるインターバル撮影における撮影間隔の変更状態を説明するためのタイミングチャートである。
【図７】他の実施形態によるインターバル撮影における撮影間隔の変更状態を説明するためのタイミングチャートである。
【発明を実施するための形態】
【００１４】
以下、本発明の実施の形態を、図面を参照して説明する。
【００１５】
Ａ．実施形態の構成
図１は、本発明の実施形態による撮影システムの構成を示すブロック図である。図において、撮影システムは、リモートコントローラ１０とデジタルカメラ２０からなる。リモートコントローラ１０は、デジタルカメラ２０との間で無線通信１００（例えばＢｌｕｅｔｏｏｔｈ（登録商標）や、ＷｉＦｉ（登録商標）などの無線ＬＡＮなど）を用いて、所定のタイミングでペアリングを構築し、例えば、ユーザ操作に応じて、デジタルカメラ２０にシャッタートリガーを送信する。リモートコントローラ１０は、デジタルカメラ２０と着脱可能となっており、一体として使用することも、分離して使用することも可能である。リモートコントローラ１０は、専用の端末に限らず、例えば、スマートフォンや、タブレット端末などでも代用可能である。但し、この場合、当然、常時、分離した状態で使用することになる。
【００１６】
デジタルカメラ２０は、リモートコントローラ１０との間で無線通信１００を用いて、所定のタイミングでペアリングを構築する。デジタルカメラ２０は、リモートコントローラ１０との接続が休止又は省電力状態（Ｂｌｕｅｔｏｏｔｈ（登録商標）におけるＳｎｉｆｆモード）であっても、単独でインターバル撮影が可能である。インターバル撮影とは、予め設定された所定の期間内で、一定のタイミングで繰返し発生する記録指示信号を検出することで静止画又は短時間動画を撮影（記録）する動作（モード）を指す。尚、以降上記一定のタイミングは撮影タイミングと定義して説明する。
【００１７】
デジタルカメラ２０は、インターバル撮影モード（記録モード）の実行中に、リモートコントローラ１０から任意のタイミングでユーザ操作に応じた操作信号を受信すると、インターバル撮影モードの撮影間隔を変更する。より具体的には、本実施形態では、ユーザは、インターバル撮影モードの撮影間隔を変更したい場合、異なる二種類の操作を行う。
【００１８】
具体的には、デジタルカメラ２０は、インターバル撮影モードの実行中にリモートコントローラ１０を介して、１回目のユーザ操作（動画記録開始キー２５１）による第１操作信号を受信し、その後、撮影タイミングが到来した後に２回目のユーザ操作（静止画記録（シャッター）キー２５２）による第２操作信号を受信した場合、１回目のユーザ操作による第１操作信号を受信する前のインターバル撮影タイミングから２回目のユーザ操作による第２操作信号を受信するまでの時間を、新たなインターバル撮影間隔とする。これにより、インターバル撮影中における２回目のユーザ操作の入力タイミングを調整することで、インターバル撮影間隔を長くすることが可能となる。
【００１９】
また、デジタルカメラ２０では、リモートコントローラ１０を介して、上記ユーザ操作（動画記録開始キー２５１）無しに、ユーザ操作（静止画記録（シャッター）キー２５２）による第２操作信号を受信した場合には、第２操作信号を受信する前のインターバル撮影タイミングから第２操作信号を受信するまでの時間を、新たなインターバル撮影間隔とする。これにより、インターバル撮影中にユーザ操作（静止画記録（シャッター）キー２５２）を実行するタイミングで、インターバル撮影間隔を短くすることが可能となる。
何れの場合も、本実施形態では、インターバル撮影の実行中に撮影タイミングを変更したい場合、現在実行中のインターバル撮影モードを一旦停止させたりする必要は無い。
【００２０】
図２は、本実施形態によるリモートコントローラ１０の構成を示すブロック図である。図２において、リモートコントローラ１０は、通信部（Ｂｌｕｅｔｏｏｔｈ（登録商標）、ＷｉＦｉ（登録商標）などの無線ＬＡＮ）１１、ＲＯＭ１２、ＲＡＭ１３、表示部１４、操作部（タッチパネル）１５、及び制御部１６を備えている。
【００２１】
通信部１１は、無線通信（例えばＢｌｕｅｔｏｏｔｈ（登録商標）や、ＷｉＦｉ（登録商標）などの無線ＬＡＮなど）などの無線通信１００を用いて、デジタルカメラ２０との間で無線通信を確立し、データの送受信を行う。
【００２２】
ＲＯＭ１２は、後述する制御部１６により実行されるプログラムや動作等に必要とされる各種パラメータなどを記憶している。ＲＡＭ１３は、後述する制御部１６がプログラムを実行した際の一時的なデータを記憶する。
【００２３】
表示部１４は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面、デジタルカメラ２０からのライブビュー画像、デジタルカメラ２０から送信された画像ファイルに基づく画像などを表示する。操作部（タッチパネル）１５は、指やスタイラス（ペン）などの直接接触、あるいは、近接を検出する。尚、操作部（タッチパネル）１５には、電源ボタンや音量ボタンなどの機械的なスイッチ類が含まれてもよい。特に、本実施形態では、操作部１５は、動画記録開始キー２５１、静止画記録（シャッター）キー２５２を備えている。インターバル撮影中に動画記録開始キー２５１、静止画記録（シャッター）キー２５２を操作することで、インターバル撮影間隔を調整することが可能となっている。尚、インターバル撮影中に動画記録開始キー２５１、静止画記録（シャッター）キー２５２は、機械的なスイッチでもソフトウェアによるスイッチ（アイコン）でもよい。
【００２４】
制御部１６は、上述したＲＯＭ１２に記憶されているプログラムを実行することで各部の動作を制御する。制御部１６は、撮影モード（静止画撮影モード、動画撮影モード、インターバル撮影モード）の実行指示や、撮影パラメータ（露出、絞り、シャッター速度など）、ユーザによる記録指示操作（動画記録開始キー２５１、静止画記録（シャッター）キー２５２）による記録指示、撮像画像の画像ファイルの携帯無線通信機器（不図示）への転送指示などをデジタルカメラ２０へ送信するよう通信部１１を制御する。また、制御部１６は、デジタルカメラ２０からのライブビュー画像を受信して表示部１４に表示する。
【００２５】
また、制御部１６は、デジタルカメラ２０のインターバル撮影モード実行中に任意のタイミングで操作部２５の動画記録開始キー２５１によるユーザ操作が行われると、第１操作信号をデジタルカメラ２０に送信するよう通信部１１を制御し、操作部２５の静止画記録（シャッター）キー２５２によるユーザ操作が行われると、第２操作信号をデジタルカメラ２０に送信するよう通信部１１を制御する。
【００２６】
図３は、本実施形態によるデジタルカメラ２０の構成を示すブロック図である。図３において、デジタルカメラ２０は、通信部２１、ＲＯＭ２２、ＲＡＭ２３、撮像部２４、操作部２５、記録媒体２６、及び制御部２７を備えている。通信部２１は、無線通信（例えばＢｌｕｅｔｏｏｔｈ（登録商標）や、ＷｉＦｉ（登録商標）などの無線ＬＡＮなど）などの無線通信１００を用いて、リモートコントローラ１０との間で無線通信を確立し、データの送受信を行う。
【００２７】
ＲＯＭ２２は、後述する制御部２７により実行されるプログラムや動作等に必要とされる各種パラメータなどを記憶している。ＲＡＭ２３は、撮像部２４によって撮像された画像ファイルを一時記憶するバッファメモリとして使用されるとともに、制御部２７のワーキングメモリとして使用される。特に、本実施形態では、ＲＡＭ２３は、インターバル撮影モード実行中において一定のタイミングで繰返し発生する、記録指示信号の発生タイミングに相当するインターバル時間間隔を保持するインターバル撮影間隔メモリ２３１と、インターバル撮影中における１回目のユーザ操作の直前の撮影タイミングから２回目のユーザ操作までの計時時間を保持する計時時間メモリ２３２とを有する。該計時時間は、新たなインターバル撮影間隔としてインターバル撮影間隔メモリ２３１に保持される。
【００２８】
撮像部２４は、光学レンズ群からなるレンズブロックと、ＣＣＤや、ＣＭＯＳなどの撮像素子からなり、レンズブロックから入った画像を撮像素子によりデジタル信号に変換して出力する。操作部２５は、電源スイッチ、シャッタースイッチ、ズームスイッチ、モードキー、ＳＥＴキー、十字キー等の複数の操作キーを含み、ユーザのキー操作に応じた操作信号を出力する。尚、デジタルカメラ２０のみでインターバル撮影を行う場合には、動画記録開始キー２５１、静止画記録（シャッター）キー２５２の代用として、当該デジタルカメラ２０の操作部２５に設けられたキーを用いてもよい。記録媒体２６は、撮像された画像ファイルなどを保存する。
【００２９】
制御部２７は、上述したＲＯＭ２２に記憶されているプログラムを実行することで各部の動作を制御する。特に、本実施形態では、制御部２７は、リモートコントローラ１０からの、撮影モード（静止画撮影モード、動画撮影モード、インターバル撮影モード）の指示や、撮影パラメータ（露出、絞り、シャッター速度など）、ユーザによる記録指示操作（動画記録開始キー２５１、静止画記録（シャッター）キー２５２）による記録指示、画像ファイルの転送指示を受信することによって動作モードを設定したり、記録動作を実行したりする。また、リモートコントローラ１０からの上記の指示を受信することなく、操作部２５への直接的な操作を検出することで撮像画像の記録動作も可能である。
【００３０】
本実施形態では、制御部２７は、インターバル撮影の実行中、記録する度にその直後からの経過時間をタイマー（不図示）により計時する。制御部２７は、上述したインターバル撮影間隔メモリ２３１に保持しているインターバル撮影間隔（予め設定されたインターバル撮影間隔をＴ１とする）と上記タイマーによる計時時間とを比較し、インターバル撮影タイミングに達したと判断すると記録を実行する。インターバル撮影は、この動作を、所定の時間に達するまで、又は所定の操作（終了指示）が行なわれるまで、インターバル撮影間隔Ｔ１で記録を繰り返すことで実現される。
【００３１】
特に、本実施形態では、制御部２７は、インターバル撮影の実行中に、任意のタイミングでリモートコントローラ１０から動画記録開始キー２５１による１回目のユーザ操作に対応する第１操作信号（ＯＰ１とする）を受信すると、次のインターバル撮影タイミングをキャンセルし、静止画記録（シャッター）キー２５２による２回目のユーザ操作に対応する第２操作信号（ＯＰ２とする）の受信を待つ。その後、第１操作信号ＯＰ１の受信後のインターバル撮影タイミング（ｔ２とする）が到来した後に２回目のユーザ操作による第２操作信号ＯＰ２を受信した場合、１回目のユーザ操作による第１操作信号ＯＰ１を受信する前のインターバル撮影タイミング（ｔ１とする）から２回目のユーザ操作による第２操作信号ＯＰ２を受信するまでの時間を、新たなインターバル撮影間隔（Ｔ２とする）としてインターバル撮影間隔メモリ２３１に保持する。これ以降、制御部２７は、インターバル撮影間隔メモリ２３１に保持された新たなインターバル撮影間隔Ｔ２に従ってインターバル撮影を継続する。この場合、新たなインターバル撮影間隔Ｔ２は、以前のインターバル撮影間隔Ｔ１より長くなる（Ｔ１＜Ｔ２）。
【００３２】
一方、制御部２７は、インターバル撮影の実行中に、任意のタイミングでリモートコントローラ１０から、動画記録開始キー２５１によるユーザ操作なしに、静止画記録（シャッター）キー２５２によるユーザ操作に対応する第２操作信号ＯＰ２を受信した場合には、ユーザ操作による第２操作信号ＯＰ２を受信する前のインターバル撮影タイミングｔ１から第２操作信号ＯＰ２を受信するまでの時間を、新たなインターバル撮影間隔（Ｔ３とする）としてインターバル撮影間隔メモリ２３１に保持する。これ以降、制御部２７は、インターバル撮影間隔メモリ２３１に保持された新たなインターバル撮影間隔Ｔ３に従ってインターバル撮影を継続する。この場合、新たなインターバル撮影間隔Ｔ３は、以前のインターバル撮影間隔Ｔ１より短くなる（Ｔ１＞Ｔ３）。
【００３３】
また、制御部２７は、インターバル撮影モードにおいて撮像された画像と、動画記録開始キー２５１によるユーザ操作に対応する第１操作信号によって出力された記録指示信号によって記録されたものか、或いは、前記第２の信号出力手段によって出力された記録指示信号によって記録されたものかを示す情報とを対応付けるよう制御する
【００３４】
尚、本実施形態では、デジタルカメラ２０は、表示部を備えていないが、一般的なデジタルカメラのように液晶表示器や有機ＥＬ（Ｅｌｅｃｔｒｏ  Ｌｕｍｉｎｅｓｃｅｎｃｅ）表示器などからなる表示部を備えていてもよい。
【００３５】
Ｂ．実施形態の動作
次に、上述した実施形態の動作について説明する。
【００３６】
図４及び図５は、本実施形態によるデジタルカメラ２０の動作を説明するためのフローチャートである。図６は、本実施形態によるデジタルカメラ２０の動作（インターバル撮影）を説明するためのタイミングチャートである。
【００３７】
尚、前提条件として、デジタルカメラ２０には、予めリモートコントローラ１０からの指示により、インターバル撮影間隔Ｔ１、インターバル撮影時間、撮影条件等が設定され、ＲＡＭ２３に保存されているものとする。特に、インターバル撮影間隔Ｔ１については、インターバル撮影間隔メモリ２３１に保存されているものとする。
【００３８】
デジタルカメラ２０において、インターバル撮影モードが実行されると、制御部２７は、図示しないタイマーによる計時を開始し、インターバル撮影間隔メモリ２３１に保持しているインターバル撮影間隔Ｔ１と上記タイマーによる計時時間とを比較し、インターバル撮影タイミングに達したか否か、すなわちインターバル撮影タイミングであるか否かを判断する（ステップＳ１０）。そして、インターバル撮影タイミングである場合には（ステップＳ１０のＹＥＳ）、制御部２７は、撮像部２４を制御し、インターバル撮影による記録、すなわち静止画ｏｒ短時間動画を記録する（ステップＳ１２）。
【００３９】
次に、制御部２７は、所定の時間に達したか、又は所定の操作（終了指示）が行なわれたか、すなわちインターバル撮影モードが終了したか否かを判断する（ステップＳ１４）。そして、インターバル撮影モードが終了していない場合には（ステップＳ１４のＮＯ）、ステップＳ１０に戻り、上述したインターバル撮影モードを維持する。すなわち、デジタルカメラ２０では、図６（ａ）に示すように、インターバル撮影間隔Ｔ１毎に、インターバル撮影による記録を実行する。
【００４０】
一方、所定の時間に達したか、又は所定の操作（終了指示）が行なわれ、インターバル撮影モードが終了したと判断された場合には（ステップＳ１４のＹＥＳ）、当該処理、すなわちインターバル撮影モードを終了する。
【００４１】
一方、上述したインターバル撮影モードの実行中において、インターバル撮影タイミングでない場合には（ステップＳ１０のＮＯ）、制御部２７は、リモートコントローラ１０から動画記録開始キー２５１によるユーザ操作に対応する第１操作信号ＯＰ１を受信したか否かを判断する（ステップＳ１６）。そして、インターバル撮影モードの実行中に、図６（ｂ）に示すように、第１操作信号ＯＰ１を受信した場合には（ステップＳ１６のＹＥＳ）、制御部２７は、図６（ｃ）に示すように、次のインターバル撮影タイミングをキャンセルする（ステップＳ１８）。動画記録開始キー２５１によるユーザ操作を検出した直後のインターバル撮影タイミングのみをキャンセルするのは、その後のインターバル撮影間隔Ｔ１でのインターバル撮影タイミングでのインターバル撮影の復帰を保証するためである。
【００４２】
次に、制御部２７は、リモートコントローラ１０から静止画記録（シャッター）キー２５２によるユーザ操作に対応する第２操作信号ＯＰ２を受信したか否かを判断する（ステップＳ２０）。そして、第２操作信号ＯＰ２を受信していない場合には（ステップＳ２０のＮＯ）、制御部２７は、第２操作信号ＯＰ２を受信するまで待機する。
【００４３】
一方、図６（ｃ）に示すように、２回目のユーザ操作に対応する第２操作信号ＯＰ２を受信した場合には（ステップＳ２０のＹＥＳ）、制御部２７は、次のインターバル撮影タイミングｔ２の到来後であるか否かを判断する（ステップＳ２２）。そして、２回目のユーザ操作に対応する第２操作信号ＯＰ２の受信が、次のインターバル撮影タイミングｔ２の到来後でない場合には（ステップＳ２２のＮＯ）、制御部２７は、動画記録開始キー２５１によるユーザ操作に対応する第１操作信号ＯＰ１を無視し（ステップＳ２８）、ステップＳ１０に戻る。以降、インターバル撮影間隔Ｔ１でのインターバル撮影を継続する。
【００４４】
一方、２回目のユーザ操作に対応する第２操作信号ＯＰ２の受信が、図６（ｃ）に示すように、次のインターバル撮影タイミングｔ２の到来後である場合には（ステップＳ２２のＹＥＳ）、制御部２７は、第１操作信号ＯＰ１を受信した直前のインターバル撮影タイミング（撮影終了直後）ｔ１から第２操作信号ＯＰ２を受信するまでの計時時間を、新たなインターバル撮影間隔Ｔ２とし（ステップＳ２４）、撮像部２４を制御し、この新たなインターバル撮影間隔Ｔ２を採用したインターバル撮影モードを実行し、静止画ｏｒ短時間動画を記録する（ステップＳ２６）。その後、ステップＳ１０に戻り、上述したインターバル撮影を継続する。これ以降、インターバル撮影は、図６（ｃ）に示すように、それまでのインターバル撮影間隔Ｔ１よりも長い新たなインターバル撮影間隔Ｔ２で実行される。
【００４５】
一方、第１操作信号ＯＰ１を受信していない場合には（ステップＳ１６のＮＯ）、制御部２７は、リモートコントローラ１０から静止画記録（シャッター）キー２５２によるユーザ操作に対応する第２操作信号ＯＰ２を受信したか否かを判断する（ステップＳ３０）。そして、第２操作信号ＯＰ２を受信していない場合には（ステップＳ３０のＮＯ）、制御部２７は、ステップＳ１０に戻り、インターバル撮影間隔を変更することなく、インターバル撮影間隔Ｔ１によるインターバル撮影を継続する。
【００４６】
また、第１操作信号ＯＰ１を受信せずに、静止画記録（シャッター）キー２５２によるユーザ操作に対応する第２操作信号ＯＰ２を受信した場合には（ステップＳ３０のＹＥＳ）、制御部２７は、図６（ｄ）に示すように、次のインターバル撮影タイミングｔ２の到来前か否かを判断する（ステップＳ３２）。そして、次のインターバル撮影タイミングｔ２の到来前に止画記録（シャッター）キーによるユーザ操作に対応する第２操作信号ＯＰ２を受信した場合には（ステップＳ３２のＹＥＳ）、第２操作信号ＯＰ２を受信した直前のインターバル撮影タイミングｔ１から第２操作信号ＯＰ２を受信するまでの計時時間を、新たなインターバル撮影間隔Ｔ３とし（ステップＳ３４）、撮像部２４を制御し、この新たなインターバル撮影間隔Ｔ３を採用したインターバル撮影モードを実行し、静止画ｏｒ短時間動画を記録する（ステップＳ３６）。その後、ステップＳ１０に戻り、上述したインターバル撮影を継続する。これ以降、インターバル撮影は、図６（ｅ）に示すように、それまでのインターバル撮影間隔Ｔ１よりも短い新たなインターバル撮影間隔Ｔ３で実行される。
【００４７】
尚、上述した実施形態では、動画記録開始キー２５１によるユーザ操作を検出した直後のインターバル撮影タイミングのみをキャンセルしたのは、その後のインターバル撮影間隔Ｔ１でのインターバル撮影タイミングでのインターバル撮影の復帰を保証するためであったが、新たなインターバル撮影間隔Ｔ２は、Ｔ２＞２＊Ｔ１にできないため、動画記録開始キー２５１によるユーザ操作を検出した場合、それ以降のインターバル撮影タイミングを全てキャンセルし、その間に第２操作信号ＯＰ２を検出することで、あらたなインターバル撮影間隔Ｔ２を設定するようにしてもよい。こうすることにより、新たなインターバル撮影間隔Ｔ２を、Ｔ２＜２＊Ｔ１にすることもできる。
【００４８】
また、上述した実施形態においては、インターバル撮影モードの実行中に、第１操作信号ＯＰ１を受信した場合には、次のインターバル撮影タイミングをキャンセルするようにしたが、これに限らず、第１操作信号ＯＰ１を受信する直前に出力されたインターバル撮影タイミングをキャンセルし、それ以前のインターバル撮影タイミングから今回の第１操作信号ＯＰ１を受信したタイミングまでの期間をあらたなインターバル撮影間隔としても良い。図７は、この場合のデジタルカメラ２０の動作（インターバル撮影）を説明するためのタイミングチャートである。
【００４９】
図７（ａ）において、インターバル撮影の実行中に、任意のタイミングでリモートコントローラ１０から動画記録開始キー２５１による１回目のユーザ操作に対応する第１操作信号（ＯＰ１とする）を受信すると、図７（ｂ）に図示するように、直前のインターバル撮影タイミングをキャンセルし、それ以前に出力されたインターバル撮影タイミングから今回のユーザ操作による第１操作信号ＯＰ１を受信するまでの時間を、新たなインターバル撮影間隔（Ｔ２’）としてインターバル撮影間隔メモリ２３１に保持する。これ以降、制御部２７は、インターバル撮影間隔メモリ２３１に保持された新たなインターバル撮影間隔Ｔ２’に従ってインターバル撮影を継続する。この場合、新たなインターバル撮影間隔Ｔ２’は、以前のインターバル撮影間隔Ｔ１より長くなる（Ｔ１＜Ｔ２’）。このようにすれば、静止画記録（シャッター）キー２５２によるユーザ操作に対応する第２操作信号ＯＰ２を受信しなくても、インターバル撮影間隔を任意に長くすることができる。
【００５０】
また、上述した実施形態において、インターバル撮影によって記録された各画像は、インターバル撮影モードによるものとして関連付けて一元管理してもよいし、インターバル撮影間隔Ｔ１、Ｔ２（Ｔ２’）、Ｔ３毎に、すなわちインターバル撮影間隔毎に分けて管理するようにしてもよい。
【００５１】
尚、本実施の形態では、デジタルカメラにおけるインターバル撮影に本発明を適用させたが、これに限らず、一定の時間間隔でトリガーを出力する装置やシステムであれば、あらゆるケースに適用可能であり、例えば、定期的に外部環境（温度、高度、湿度、気圧）等を計測する装置に適用すれば、簡単な操作で計測タイミングを長くすることもできる。
【００５２】
上述した実施形態によれば、デジタルカメラ２０では、リモートコントローラ１０を介して、動画記録開始キー２５１によるユーザ操作に対応する第１操作信号ＯＰ１を受信し、その後、インターバル撮影タイミングが到来した後に静止画記録（シャッター）キー２５２によるユーザ操作に対応する第２操作信号ＯＰ２を受信した場合、第１操作信号ＯＰ１を受信する前のインターバル撮影タイミングｔ１から第２操作信号ＯＰ２を受信するまでの時間を、新たなインターバル撮影間隔Ｔ２とするようにしたので、インターバル撮影中であっても柔軟に撮影間隔を長くすることができる。
【００５３】
上述した実施形態によれば、動画記録開始キー２５１によるユーザ操作に対応する第１操作信号ＯＰ１を受信せずに、且つ、次のインターバル撮影タイミングｔ２が到来する前に、静止画記録（シャッター）キー２５２によるユーザ操作に対応する第２操作信号ＯＰ２を受信した場合には、第２操作信号ＯＰ２を受信する前のインターバル撮影タイミングｔ１から第２操作信号ＯＰ２を受信するまでの時間を、新たなインターバル撮影間隔Ｔ３とするようにしたので、インターバル撮影中であっても柔軟に撮影間隔を調整（短く）することができる。
【００５４】
上述した実施形態によれば、撮像部２４によって撮像された画像と、インターバル撮影間隔Ｔ１に従って記録されたものか、或いは、変更後のインターバル撮影間隔Ｔ２、Ｔ３によって記録されたものかを示す情報とを対応付けるようにしたので、インターバル撮影中であっても柔軟に撮影間隔を調整することができるだけでなく、インターバル撮影間隔が変更された画像であることを容易に知ることができ、利便性を向上させることができる。
【００５５】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５６】
（付記１）
付記１に記載の発明は、第１の時間間隔で周期的に記録指示信号を出力する第１の信号出力手段と、第１の操作信号を検出したか否かを判断する第１の判断手段と、第２の操作信号を検出したか否かを判断する第２の判断手段と、前記第１の判断手段により前記第１の操作信号を検出したと判断し、その後、第２の判断手段により前記第２の操作信号を検出したと判断すると、前記第１の操作信号を検出する直前に前記第１の信号出力手段により前記記録指示信号が出力されたタイミングから前記第２の操作信号を検出したタイミングまでを第２の時間間隔として周期的に前記記録指示信号を出力する第２の信号出力手段と、を備えたことを特徴とする記録制御装置である。
【００５７】
（付記２）
付記２に記載の発明は、前記第２の信号出力手段は、前記第１の判断手段が前記第１の操作信号を検出しなかったと判断し、且つ、前記第１の時間間隔によるタイミングが到来する前に、前記第２の判断手段により前記第２の操作信号を検出したと判断すると、前記第２の操作信号を検出する直前に前記第１の信号出力手段により前記記録指示信号が出力されたタイミングから前記第２の操作信号を検出したタイミングまでを前記第２の時間間隔として周期的に前記記録指示信号を出力することを特徴とする付記１に記載の記録制御装置である。
【００５８】
（付記３）
付記３に記載の発明は、撮像手段を更に備え、前記記録指示信号は、前記撮像手段に対して出力されることを特徴とする付記１又は２に記載の記録制御装置である。
【００５９】
（付記４）
付記４に記載の発明は、前記撮像手段によって撮像された画像と、前記第１の信号出力手段によって出力された前記記録指示信号によって記録されたものか、或いは、前記第２の信号出力手段によって出力された前記記録指示信号によって記録されたものかを示す情報とを対応付けるよう制御する制御手段を更に備えたことを特徴とする付記３に記載の記録制御装置である。
【００６０】
（付記５）
付記５に記載の発明は、第１の時間間隔で周期的に記録指示信号を出力する第１の信号出力手段と、操作信号を検出したか否かを判断する判断手段と、前記判断手段により前記操作信号を検出したと判断すると、前記操作信号を検出する直前に前記第１の信号出力手段により記録指示信号が出力されたタイミングをキャンセルし、それ以前に前記第１の信号出力手段により記録指示信号が出力されたタイミングから前記操作信号を検出したタイミングまでを第２の時間間隔として周期的に前記記録指示信号を出力する第２の信号出力手段と、を備えたことを特徴とする記録制御装置である。
【００６１】
（付記６）
付記６に記載の発明は、第１の時間間隔で周期的に記録指示信号を出力する第１の信号出力ステップと、第１の操作信号を検出したか否かを判断する第１の判断ステップと、第２の操作信号を検出したか否かを判断する第２の判断ステップと、前記第１の判断ステップで前記第１の操作信号を検出したと判断し、その後、第２の判断ステップで前記第２の操作信号を検出したと判断すると、前記第１の操作信号を検出する直前に前記第１の信号出力ステップで前記記録指示信号が出力されたタイミングから前記第２の操作信号を検出したタイミングまでを第２の時間間隔として周期的に前記記録指示信号を出力する第２の信号出力ステップと、を含むことを特徴とする記録制御方法である。
【００６２】
（付記７）
付記７に記載の発明は、第１の時間間隔で周期的に記録指示信号を出力する第１の信号出力ステップと、操作信号を検出したか否かを判断する判断ステップと、前記判断ステップにて前記操作信号を検出したと判断すると、前記操作信号を検出する直前に前記第１の信号出力ステップにて記録指示信号が出力されたタイミングをキャンセルし、それ以前に前記第１の信号出力ステップにて記録指示信号が出力されたタイミングから前記操作信号を検出したタイミングまでを第２の時間間隔として周期的に前記記録指示信号を出力する第２の信号出力ステップと、を含むことを特徴とする記録制御方法である。
【００６３】
（付記８）
付記８に記載の発明は、コンピュータに、第１の時間間隔で周期的に記録指示信号を出力する第１の信号出力機能、第１の操作信号を検出したか否かを判断する第１の判断機能、第２の操作信号を検出したか否かを判断する第２の判断機能、前記第１の判断機能により前記第１の操作信号を検出したと判断し、その後、第２の判断機能により前記第２の操作信号を検出したと判断すると、前記第１の操作信号を検出する直前に前記第１の信号出力機能により記録指示信号が出力されたタイミングから前記第２の操作信号を検出したタイミングまでを第２の時間間隔として周期的に記録指示信号を出力する第２の信号出力機能、を実現させるためのプログラムである。
【００６４】
（付記９）
付記９に記載の発明は、コンピュータに、第１の時間間隔で周期的に記録指示信号を出力する第１の信号出力機能、操作信号を検出したか否かを判断する判断機能、前記判断機能により前記操作信号を検出したと判断すると、前記操作信号を検出する直前に前記第１の信号出力機能により記録指示信号が出力されたタイミングをキャンセルし、それ以前に前記第１の信号出力機能により記録指示信号が出力されたタイミングから前記操作信号を検出したタイミングまでを第２の時間間隔として周期的に前記記録指示信号を出力する第２の信号出力機能、を実現させるためのプログラムである。
【符号の説明】
【００６５】
１０  リモートコントローラ
１１  通信部
１２  ＲＯＭ
１３  ＲＡＭ
１４  表示部
１５  操作部（タッチパネル）
１６  制御部
２０  デジタルカメラ
２１  通信部
２２  ＲＯＭ
２３  ＲＡＭ
２３１  インターバル撮影間隔メモリ
２３２  計時時間メモリ
２４  撮像部
２５  操作部
２５１  動画記録開始キー
２５２  静止画記録（シャッター）キー
２６  記録媒体
２７  制御部
１００  無線通信
【図１】
2019009597.tif 000003
【図２】
2019009597.tif 000004
【図３】
2019009597.tif 000005
【図４】
2019009597.tif 000006
【図５】
2019009597.tif 000007
【図６】
2019009597.tif 000008
【図７】
2019009597.tif 000009